(57)【要約】【課題】フォ−マルな婦人靴も紳士靴も１足そっくり収納できる携帯に便利な靴収納可能なバッグを提供することである。【解決手段】バッグ(１)の少なくとも一部に上下に２等分した上下２段を構成する靴片方づつを収納する２つの靴収納部を有し、その靴収納部に相当する側面部分にファスナーにより開口させた靴の出し入れのための開口部(１１)を設けたことを特徴とするハイヒ−ルなど靴の収納可能なバッグある。【選択図】  図１
0003114570.tif 000002
【実用新案登録請求の範囲】
【請求項１】
バッグ(１)の少なくとも一部に上下に２等分した上下２段を構成する靴片方ずつを収納する２つの靴収納部を有し、
その靴収納部に相当する側面部分にファスナーにより開口させた靴の出し入れのための開口部(１１)を設けたことを特徴とするハイヒ−ルなど靴の収納可能なバッグ。
【請求項２】
前記の上下に設けた靴収納部の上には通常の物入れの空間（４）が設けられていることを特徴とする請求項１に記載のバッグ。
【請求項３】
前記の上下２段の靴収納部の上下を隔離する仕切板（８）は、斜めに傾斜しており、該傾斜仕切板（８）が両側面部分に接合している位置に従って、上下の靴収納部の空間が広い側に各々開口部（１１）が設けてあることを特徴とする請求項１又は２に記載のバッグ。
【考案の詳細な説明】
【技術分野】
【０００１】
本考案は、ハイヒ−ルなどの靴を必要により収納できるバッグに関する。
【背景技術】
【０００２】
ハイヒ−ル、紳士靴などのフォ−マルな場所、結婚式場，葬儀場などに必要な靴と、日常的に使いなれて、歩き易い運動靴、雨靴、防寒靴等を履き替えなければならない状態に遭遇することがある。そのような状態では、一方の靴を持ち歩かなければならない。即ち、靴専用の袋やバッグで持って行かなければならない。
【０００３】
すると、荷物が増えて大変である。従来このような問題を解決するバッグは見あたらなかった。また、靴収納できるようなバッグは提供されていなかった。
【考案の開示】
【考案が解決しようとする課題】
【０００４】
本考案の基本的な目的は、本考案の基本的な目的は、ハイヒ−ルなど靴が触れ合わないため傷がつかずに収納可能な格好のよいバッグを提供することである。同時に目立たずスピーディーに左右片方ずつ靴の履き替えが容易に行えるようにするバッグが提供されることである
【課題を解決するための手段】
【０００５】
靴を収納する手提げバッグを提供するために次のような構成のバッグが考案された。
（１）バッグ(１)の少なくとも一部に上下に２等分した上下２段を構成する靴片方ずつを収納する２つの靴収納部を有し、
その靴収納部に相当する側面部分にファスナーにより開口させた靴の出し入れのための開口部(１１)を設けたことを特徴とするハイヒ−ルなど靴の収納可能なバッグ。
（２）前記の上下に設けた靴収部の上には通常の物入れの空間（４）が設けられている前記のバッグ。
【考案の効果】
【０００６】
本考案のバッグは、ハイヒールなどの靴が図示のように片方ずつ各々の収納部屋に収納され、蓋が閉められると、綺麗なバッグとなる。同時に、バッグの形状はデザインの要望により、曲線を使用したバッグにしてもよいし、丸みを帯びたバッグにすることもできる。基本的には、布製、皮製、プラスチック製など作製でき、柔軟性のある外皮で作成される見た目も綺麗なバッグを提供する。
【考案を実施するための最良の形態】
【０００７】
本考案のバッグは、基本的には、布製、皮製、プラスチック製など作製でき、柔軟性のある外皮で作製されるが、それに限定されることはない。
【０００８】
図１により、本考案のバッグを説明するが、本考案はそれに限定されないものである。図では箱型のバッグで説明してあるが、バッグのスタイル、デザインは、適宜変化を付けることができることは言うまでもない。そして、図2には、ボストンバッグ型のバッグの例を示す。
【０００９】
図１のバッグ(１)は、両取手(３)を有し、略箱形である。頂面の中央部には、ファスナーによる開口２が設けられ、バッグの上部分の部屋から物を出し入れできる。本考案は、バッグ(１)の少なくとも半分の下部分に靴収納部屋は対で上下に形成することである。
対の部屋に片方ずつ靴を入れることにより、靴に傷がつかず収納でき、靴の大きさに略相当する底面積の底(９)のバッグとなるので、ちょうど持つのに合う大きさのバッグ(１)となる。
【００１０】
バッグ(１)の底(９)は、適度に硬いが軽く、防水性素材で作製され、靴収納に都合のよい形状になり、その上に、靴収納によい高さに仕切り(８)を設ける。この仕切り(８)も底面と同様の素材がよい。同じ高さのもう１つの収納部屋を作るために仕切り(１０)を通常バッグ部屋との間に形成する。この仕切り(１０)も同様の素材がよいだろう。その仕切り(１０)は、バッグ(１)の通常の部屋の底面を成すので、その上には、通常にバッグに収納する物が収納されることとなる。
【００１１】
靴の収納のための出し入れのための開口部は、バッグの靴収納室に相当する位置の側面に設ける。通常、バッグ(１)の提げ取手のない側面すなわち、狭い側面に作る。デザインの要望により、他の側面に作ってもよい。
通常、開口部は図示のように大きく口を開けるように、側面の一部にファスナー(６)(７)によって縁取られた範囲に設ける。
【００１２】
図示では、開口部の蓋部材(５)は、下から上にめくれるように、開けられる構成であるが、デザインにより、上から下へ又は横に開ける構成にしてもよい。
また、蓋部材(５)は、上下に分けて形成してもよい。即ち、靴の片方ずつでから取り出すとなる。
【００１３】
そして、ハイヒール(１２)は図示のように片方ずつ各々の収納部屋に収納され、蓋(５)が閉められると、綺麗なバッグ(１)となる。同時に、本考案のバッグでは、靴（１２）は片方ずつ各収納室に収納されるために、靴の型崩れがなく、傷つきもないように収納することができる。
【００１４】
次に、図２は、ボストンバッグ型のバッグに上下に２つの靴収納部を設けた本考案のバッグの見取り図である。即ち、バッグの側面にファスナー６，７により、開口部１１を設けてあり、バッグの中は、上下に靴片方ずつが図示のように収納され、各々は型崩れせずに、独立に収納される。
【００１５】
図２の例では、開口部１１は、図示のように左右に開かれ、靴は取り出しや収納が容易に行われる。そして、靴は一つずつ収納されており、使用される状態に置かれ、収納室の中で、正しい位置に置かれ、変形などが生じない。
【００１６】
そして、ハイヒール(１２)は図示のように片方ずつ各々の収納部屋に収納され、蓋(５)が閉められると、綺麗なバッグ(１)となる。
バッグの形状は箱型(図１)とボストンバッグ型(図２)で説明したが、デザインの要望により、曲線を使用したバッグにしてもよいし、丸みを帯びたバッグにすることもできる。
【００１７】
更に、図３に示すように、各々の収納部屋(１１)は、傾斜した仕切板(８)により、開口部(６)の方が広い部屋に作られ、大略三角形をなすハイヒールなどを収納するに都合がよく、出し入れが容易にされる形態にすることができる。即ち、上下２段の靴収納部の上下を隔離する仕切板（８）は、斜めに傾斜しており、該傾斜仕切板（８）が両側面部分に接合している位置に従って、上下の靴収納部の空間が広い側に各々開口部（１１）が設ける。すると、説明したように、取り出しと収納が容易になるばかりでなく、空間の効率的な利用が図られる。開口部は、ファスナーのように図示されているが、図１、２と同様にしてもよいし、また、ファスナーは、図１の頂面にあるファスナー（２）のように１つの線上ファスナーでもよく、１つ或いは数個のボタンを設けた開口部でもよい。
【産業上の利用可能性】
【００１８】
産業上の利用可能性は、上記に記述するが、一般的には、本考案は、ハイヒ−ルなどの靴をきれいにそして、変形などがなく、傷もつかずに収納可能なバッグを提供することである。
【図面の簡単な説明】
【００１９】
【図１】本考案による、ハイヒ−ルなど靴の収納可能なバッグの具体例を示す。
【図２】本考案による、ハイヒ−ルなど靴の収納可能なバッグの他の具体例を示す。
【図３】本考案による、ハイヒ−ルなど靴の収納可能なバッグの２つの開口部を備える具体例を示す。
【符号の説明】
【００２０】
１        バッグ                  ２      ファスナー
３      提げ取手                  ５      開口フタ部材
６      ファスナーの側鎖          ７      ファスナーの他方の側鎖
８、１０    仕切り                ９      バッグの底面
１１      靴収納部屋の開口部    １２      ハイヒ−ル
【図１】
0003114570.tif 000003
【図２】
0003114570.tif 000004
【図３】
0003114570.tif 000005